(57)【要約】【課題】小型化が可能な複合光学レンズを用いた車両用灯具を提供する。【解決手段】本発明の車両用灯具は、光源と光源の光を前方側に照射する複合光学レンズを備える車両用灯具であって、複合光学レンズは、光を入射させる入射面と、入射面から入射した光を前方側に照射する出射面と、入射面と出射面の間に形成されたシェード部と、が一体成形されたレンズであり、複合光学レンズは、シェード部の頂線より入射面側の上側に形成され、第１配光パターンを形成する光を出射面に向けて反射する第１リフレクタ面と、頂線より入射面側の下側に形成され、集光配光パターンを形成する光を出射面に向けて反射する第２リフレクタ面と、を備え、第１リフレクタ面と前記第２リフレクタ面の隣接する位置の車両幅方向の幅は、第１リフレクタ面の方が大きい。【選択図】図３
2020035702.tif 000002
【特許請求の範囲】
【請求項１】
光源と前記光源の光を前方側に照射する複合光学レンズを備える車両用灯具であって、
前記複合光学レンズは、光を入射させる入射面と、前記入射面から入射した光を前方側に照射する出射面と、前記入射面と前記出射面の間に形成されたシェード部と、が一体成形されたレンズであり、
前記複合光学レンズは、
前記シェード部の頂線より前記入射面側の上側に形成され、第１配光パターンを形成する光を前記出射面に向けて反射する第１リフレクタ面と、
前記頂線より前記入射面側の下側に形成され、集光配光パターンを形成する光を前記出射面に向けて反射する第２リフレクタ面と、を備え、
前記第１リフレクタ面と前記第２リフレクタ面の隣接する位置の車両幅方向の幅は、前記第１リフレクタ面の方が大きいことを特徴とする車両用灯具。
【請求項２】
前記入射面は、全体形状が前記複合光学レンズの内側に凹む凹面状であって、中央側に前記第１配光パターンより小さい第２配光パターンを形成する光を入射させる前記複合光学レンズの外側に突出する凸面を有していることを特徴とする請求項１に記載の車両用灯具。
【請求項３】
前記出射面は、第１配光パターンを形成する光のうちの一部を前記集光配光パターン及び前記第２配光パターンのカットオフラインの上側に照射させる形状に形成されていることを特徴とする請求項２に記載の車両用灯具。
【請求項４】
前記シェード部は、前記頂線から前方側に傾斜する前方側傾斜面を有しており、
前記複合光学レンズには、前記光源からの直射光の一部を前記前方側傾斜面の少なくとも一部に向けて反射する反射面が形成されており、
前記反射面で反射され、更に、前記前方側傾斜面で反射された光が、オーバーヘッド配光として前記出射面から照射されることを特徴とする請求項１から請求項３のいずれか１項に記載の車両用灯具。
【請求項５】
光源と前記光源の光を前方側に照射する複合光学レンズを備える車両用灯具であって、
前記複合光学レンズは、
光を入射させる入射面と、
前記入射面から入射した光を前方側に照射する出射面と、
前記入射面から入射した第１配光パターンを形成する光を前記出射面に向けて反射する第１リフレクタ面と、
前記入射面から入射した集光配光パターンを形成する光を前記出射面に向けて反射する第２リフレクタ面と、を備え、
前記入射面は、中央側に前記第１配光パターンより小さい第２配光パターンを形成する光を入射させる前記複合光学レンズの外側に突出する凸面を有していることを特徴とする車両用灯具。
【請求項６】
前記凸面は、前記入射面側から見て、外形が矩形状であることを特徴とする請求項２、請求項３又は請求項５のいずれか１項に記載の車両用灯具。
【発明の詳細な説明】
【技術分野】
【０００１】
本発明は車両用灯具に関するものである。
【背景技術】
【０００２】
特許文献１には、レンズ自身にシェードと反射鏡を一体に形成した複合光学レンズを用いた異なる配光特性の複数の光源ユニットでロービーム配光パターンを形成するようにした車両用灯具が開示されている。
【先行技術文献】
【特許文献】
【０００３】
【特許文献１】特開２００４−２４１３４９号公報
【発明の概要】
【発明が解決しようとする課題】
【０００４】
一方、光源ユニットの数が増えると車両用灯具が大型化するという問題がある。
【０００５】
本発明は、このような事情に鑑みてなされたものであり、小型化が可能な複合光学レンズを用いた車両用灯具を提供することを目的とする。
【課題を解決するための手段】
【０００６】
本発明は、上記目的を達成するために以下の構成によって把握される。
（１）本発明の車両用灯具は、光源と前記光源の光を前方側に照射する複合光学レンズを備える車両用灯具であって、前記複合光学レンズは、光を入射させる入射面と、前記入射面から入射した光を前方側に照射する出射面と、前記入射面と前記出射面の間に形成されたシェード部と、が一体成形されたレンズであり、前記複合光学レンズは、前記シェード部の頂線より前記入射面側の上側に形成され、第１配光パターンを形成する光を前記出射面に向けて反射する第１リフレクタ面と、前記頂線より前記入射面側の下側に形成され、集光配光パターンを形成する光を前記出射面に向けて反射する第２リフレクタ面と、を備え、前記第１リフレクタ面と前記第２リフレクタ面の隣接する位置の車両幅方向の幅は、前記第１リフレクタ面の方が大きい。
【０００７】
（２）上記（１）の構成において、前記入射面は、全体形状が前記複合光学レンズの内側に凹む凹面状であって、中央側に前記第１配光パターンより小さい第２配光パターンを形成する光を入射させる前記複合光学レンズの外側に突出する凸面を有している。
【０００８】
（３）上記（２）の構成において、前記出射面は、第１配光パターンを形成する光のうちの一部を前記集光配光パターン及び前記第２配光パターンのカットオフラインの上側に照射させる形状に形成されている。
【０００９】
（４）上記（１）から（３）のいずれか１つの構成において、前記シェード部は、前記頂線から前方側に傾斜する前方側傾斜面を有しており、前記複合光学レンズには、前記光源からの直射光の一部を前記前方側傾斜面の少なくとも一部に向けて反射する反射面が形成されており、前記反射面で反射され、更に、前記前方側傾斜面で反射された光が、オーバーヘッド配光として前記出射面から照射される。
【００１０】
（５）本発明の車両用灯具は、光源と前記光源の光を前方側に照射する複合光学レンズを備える車両用灯具であって、前記複合光学レンズは、光を入射させる入射面と、前記入射面から入射した光を前方側に照射する出射面と、前記入射面から入射した第１配光パターンを形成する光を前記出射面に向けて反射する第１リフレクタ面と、前記入射面から入射した集光配光パターンを形成する光を前記出射面に向けて反射する第２リフレクタ面と、を備え、前記入射面は、中央側に前記第１配光パターンより小さい第２配光パターンを形成する光を入射させる前記複合光学レンズの外側に突出する凸面を有している。
【００１１】
（６）上記（２）、（３）又は（５）のいずれか１つの構成において、前記凸面は、前記入射面側から見て、外形が矩形状である。
【発明の効果】
【００１２】
本発明によれば、小型化が可能な複合光学レンズを用いた車両用灯具を提供することができる。
【図面の簡単な説明】
【００１３】
【図１】本発明に係る第１実施形態の車両用灯具を備えた車両の平面図である。
【図２】本発明に係る第１実施形態の灯具ユニットの分解斜視図である。
【図３】本発明に係る第１実施形態の複合光学レンズの断面図である。
【図４】本発明に係る第１実施形態の複合光学レンズの斜視図である。
【図５】本発明に係る第２実施形態の複合光学レンズの断面図である。
【図６】本発明に係る第２実施形態の出射面側が見えるようにした複合光学レンズの斜視図である。
【図７】本発明に係る第２実施形態の入射面側が見えるようにした複合光学レンズの斜視図である。
【発明を実施するための形態】
【００１４】
以下、添付図面を参照して、本発明を実施するための形態（以下、「実施形態」と称する。）について詳細に説明する。
なお、実施形態の説明の全体を通して同じ要素には同じ番号又は符号を付している。
【００１５】
また、実施形態及び図中において、特に断りがない場合、「前」、「後」は、各々、車両１０２の「前進方向」、「後進方向」を示し、「上」、「下」、「左」、「右」は、各々、車両１０２に乗車する運転者から見た方向を示す。
なお、言うまでもないが「上」、「下」は鉛直方向での「上」、「下」でもあり、「左」、「右」は水平方向での「左」、「右」でもある。
【００１６】
（第１実施形態）
図１は、本発明に係る第１実施形態の車両用灯具を備えた車両１０２の平面図である。
図１に示すように、本発明に係る第１実施形態の車両用灯具は、車両１０２の前方側の左右のそれぞれに設けられる車両用の前照灯（１０１Ｌ、１０１Ｒ）であり、以下では単に車両用灯具と記載する。
【００１７】
本実施形態の車両用灯具は、車両前方側に開口したハウジング（図示せず）と開口を覆うようにハウジングに取り付けられるアウターレンズ（図示せず）を備え、ハウジングとアウターレンズとで形成される灯室内に灯具ユニット１（図２参照）等が配置されている。
【００１８】
図２は本発明に係る第１実施形態の灯具ユニット１の分解斜視図である。
図２に示すように、灯具ユニット１は、ヒートシンク１０と、ヒートシンク１０に取り付けられる光源装置２０と、光源装置２０上に配置される光学制御部材３０と、光学制御部材３０の一部を覆うカバー４０と、を備えている。
【００１９】
（ヒートシンク１０）
ヒートシンク１０は、光源装置２０を配置するベース部１１と、ベース部１１の後方側に設けられ、車両幅方向に並ぶ複数の放熱フィン１２と、ベース部１１の鉛直方向の一方側（図２では下側）に設けられ、前方側に突出する車両幅方向に離間した一対の位置決めピン１１Ａと、を備えている。
【００２０】
なお、ベース部１１には、車両幅方向の中央側であって、鉛直方向に離間する位置に一対のネジ螺合孔１１Ｂが形成されており、一対のネジ螺合孔１１Ｂには、後述する光源装置２０、光学制御部材３０、及び、カバー４０を共止めするように一対のネジＮが螺合固定される。
【００２１】
放熱フィン１２は、それぞれ鉛直方向の他方側（図２では上側）にベース部１１よりも延在しており、ベース部１１より鉛直方向に延在している部分（図２では上側の部分）が、後述する光源装置２０のコネクタ接続部２３Ｂを収容可能にベース部１１側から後方側に切欠かれたような形状になっている。
【００２２】
本実施形態では、ヒートシンク１０はアルミダイカスト製のヒートシンク１０になっているが、これに限定される必要はなく、熱伝導率の高い金属又は樹脂等を用いて形成されたものであればよい。
【００２３】
（光源装置２０）
光源装置２０は、熱伝達部材２１と、熱伝達部材２１上に配置された光源２２と、熱伝達部材２１上に配置され、光源２２に対応する位置に設けられた開口部２３Ａと外部コネクタが接続されるコネクタ接続部２３Ｂを有する接続部２３と、を備えている。
【００２４】
なお、コネクタ接続部２３Ｂは、熱伝達部材２１よりも鉛直方向の他方側（図２では上側）に位置し、熱伝達部材２１よりも一部が後方側に出っ張るように設けられており、先に触れたように、この出っ張った部分が、放熱フィン１２の後方側に切欠かれたような形状の部分に位置することになる。
【００２５】
本実施形態では、熱伝達部材２１は、光源２２よりも外形の大きいアルミ製の板材を用いているが、材料はアルミに限定される必要はなく、熱伝導率の高いアルミ以外の金属又は樹脂等であってもよい。
そして、熱伝達部材２１は、光源２２で発生する熱を速やかに広い範囲に拡散しつつ、熱を効率よくヒートシンク１０に伝達して光源２２の冷却効率を高める役目を果たす。
【００２６】
光源２２は、光を透過する発光領域２２Ｂを有する基板２２Ａと、基板２２Ａの裏側に配置され、発光領域２２Ｂを発光させるための光を出射する発光チップ（図示せず）と、を備え、本実施形態では、発光チップにＬＤチップ（レーザーダイオードチップ）が用いられたＬＤ光源（レーザー光源）になっているが、発光チップにＬＥＤチップを用いたＬＥＤ光源（発光ダイオード光源）としてもよい。
なお、本実施形態の光源２２（発光チップ）は、平面発光部を有する、ランバーシアン分布又はこれに近いものになっている。
【００２７】
しかしながら、光源２２にＬＤ光源を用いる方がＬＥＤ光源の場合より小型化が行い易いため、光源２２にはＬＤ光源を用いるのが好ましい。
【００２８】
接続部２３は、例えば、耐熱性に優れた電気絶縁樹脂を用いたインサート成形で、光源２２と外部コネクタとの電気的な接続を行うための電気配線（図示せず）を内部に収容するように形成された部材であり、その電気配線（図示せず）の一端側が開口部２３Ａに導出され光源２２との電気的な接続が行われ、その電気配線（図示せず）の他端側がコネクタ接続部２３Ｂ内に導出され、外部コネクタとの電気的な接続が行われるようになっている。
【００２９】
そして、光源装置２０は、ベース部１１に設けられた一対の位置決めピン１１Ａを通す一対の位置決め孔２４Ａと、ベース部１１に設けられたネジ螺合孔１１Ｂに対応する位置に設けられた一対のネジ孔２４Ｂと、を備えており、位置決めピン１１Ａで位置決めされた状態でネジＮによってヒートシンク１０に対して固定できるようになっている。
【００３０】
（光学制御部材３０）
光学制御部材３０は、光源２２からの光を前方側に照射する複合光学レンズ３１と、複合光学レンズ３１を光源装置２０に配置して光源装置２０とともにヒートシンク１０に対して固定するための固定部３２と、を備えており、複合光学レンズ３１と固定部３２が、透明な樹脂（例えば、アクリル系樹脂やポリカーボネート系樹脂）で一体成形された部材である。
【００３１】
固定部３２は、複合光学レンズ３１の光学制御に影響のない左右の側面（後述するシェード部３１Ｃの頂線３１ＣＡより前方側の左右の側面）から後方側に延在する一対の脚部３２Ａと、一対の脚部３２Ａに繋がるように設けられた固定のための基部３２Ｂと、を備えている。
【００３２】
そして、基部３２Ｂは、ベース部１１に設けられた一対の位置決めピン１１Ａを通す一対の位置決め孔３２ＢＡと、ベース部１１に設けられたネジ螺合孔１１Ｂに対応する位置に設けられた一対のネジ孔３２ＢＢと、を備えており、位置決めピン１１Ａで位置決めされた状態でネジＮによって光源装置２０とともにヒートシンク１０に対して固定される。
【００３３】
なお、光学制御部材３０の基部３２Ｂは、光源装置２０の接続部２３上に配置されることで、光源装置２０の熱伝達部材２１との接触が回避されており、接続部２３が光学制御部材３０と熱伝達部材２１の間に設けられた熱を絶縁する熱絶縁体としての機能を果たすことで、光学制御部材３０に耐熱性の低いアクリル系樹脂（例えば、耐熱温度１００℃程度）を使用しても問題がないようになっている。
【００３４】
（カバー４０）
カバー４０は、複合光学レンズ３１の光を出射する出射面３１Ａ及び光を入射させる入射面３１Ｂ（図示せず）を塞がないように開口し、複合光学レンズ３１の側面を覆う略円筒状の覆い部４１と、覆い部４１の後端側に位置し、覆い部４１から外側に突出するように設けられ、光学制御部材３０、及び、光源装置２０とともにヒートシンク１０に対して固定するためのフランジ部４２と、を備えている。
【００３５】
なお、覆い部４１は、複合光学レンズ３１の固定部３２の一対の脚部３２Ａを挿入可能とするために後端側から前端側に向かって切欠かれた形状の車両幅方向に離間した一対の切欠き部４１Ａを備えている。
【００３６】
また、フランジ部４２は、この一対の切欠き部４１Ａへの脚部３２Ａの挿入を可能とするために、一対の切欠き部４１Ａの位置を基準として鉛直方向の一方側（図２では下側）と鉛直方向の他方側（図２では上側）にそれぞれ分かれて一対設けられたものになっている。
【００３７】
そして、フランジ部４２は、鉛直方向の一方側（図２では下側）のフランジ部４２に形成され、ベース部１１に設けられた一対の位置決めピン１１Ａを通す一対の位置決め孔４２Ａと、鉛直方向の一方側（図２では下側）及び鉛直方向の他方側（図２では上側）のフランジ部４２のそれぞれに１つずつ形成され、ベース部１１に設けられたネジ螺合孔１１Ｂに対応する位置に設けられた一対のネジ孔４２Ｂと、を備えており、位置決めピン１１Ａで位置決めされた状態でネジＮによって、光学制御部材３０、及び、光源装置２０とともにヒートシンク１０に対して固定される。
【００３８】
なお、カバー４０は、複合光学レンズ３１の出射面３１Ａ以外の位置から光が漏れるのを抑制するためのものであり、本実施形態では、光が透過しない不透明な樹脂で形成したものになっている。
【００３９】
ただし、カバー４０は、光が透過するような透明な樹脂で形成され、表面に光の透過を抑制する着色層を形成したものであってもよい。
また、カバー４０を省略し、複合光学レンズ３１の入射面３１Ｂ及び出射面３１Ａを除く部分にアルミ蒸着等を行うことでカバー４０と同様の機能を持たせるようにしてもよい。
【００４０】
次に、図３及び図４を参照しながら複合光学レンズ３１について詳細に説明する。
図３は複合光学レンズ３１の断面図であり、レンズ光軸Ｚに沿って鉛直方向に切断した側面側から見た断面図である。
なお、図３には、模式的に記載した光源２２の発光領域２２Ｂも併せて図示している。
図４は複合光学レンズ３１の斜視図であり、複合光学レンズ３１の入射面３１Ｂ側が見えるようにした斜視図になっている。
【００４１】
図３及び図４に示すように、複合光学レンズ３１は、光源２２（図３参照）からの光を入射させる入射面３１Ｂと、入射面３１Ｂから入射した光を前方側に照射する、微細な凹凸等を有しない前方側に突出したスムーズな曲面とされた出射面３１Ａと、入射面３１Ｂと出射面３１Ａの間に形成されたシェード部３１Ｃと、が一体成形されたレンズになっている。
なお、本実施形態のように、出射面３１Ａにプリズムのような凹凸を形成しないことで光のスジやムラの発生を抑制でき、運転者に不快感を与えることのないロービーム配光パターンを形成することができる。
【００４２】
シェード部３１Ｃは、複合光学レンズ３１の入射面３１Ｂと出射面３１Ａの間の位置の鉛直方向下側から複合光学レンズ３１の内側に略三角形状の窪みを形成するようにして形成されており、その三角形状の窪みの頂点となる位置がカットオフラインの形状に合わせた頂線３１ＣＡとなるようにされている。
【００４３】
なお、頂線３１ＣＡは、斜めカットオフラインの上側を形成する部分が出射面３１Ａの後方焦点又は後方焦点近傍に位置するように形成されている。
【００４４】
そして、複合光学レンズ３１は、シェード部３１Ｃの頂線３１ＣＡより入射面３１Ｂ側の上側（鉛直方向上側）に形成され、入射面３１Ｂから入射したロービーム配光パターンの第１配光パターンを形成する光Ｌ１を出射面３１Ａに向けて反射する自由曲面の半ドーム状の第１リフレクタ面３１Ｄと、頂線３１ＣＡより入射面３１Ｂ側の下側（鉛直方向下側）に形成され、入射面３１Ｂから入射したロービーム配光パターンの集光配光パターンを形成する光Ｌ２を出射面３１Ａに向けて反射する自由曲面の半ドーム状の第２リフレクタ面３１Ｅと、を備えている。
なお、本実施形態では、第１配光パターンは、ロービーム配光パターンの拡散配光パターンになっているため、以下では第１拡散配光パターンと記載する場合がある。
【００４５】
そして、図４を見るとわかるように、第１リフレクタ面３１Ｄと第２リフレクタ面３１Ｅの隣接する位置の車両幅方向の幅は、第１リフレクタ面３１Ｄの方が大きく、良好にロービーム配光パターンの第１拡散配光パターンを形成できるようにしている。
なお、第１リフレクタ面３１Ｄと第２リフレクタ面３１Ｅの基本光路の前方焦点は、出射面３１Ａの後方焦点と略一致している。
【００４６】
このように、本実施形態では、１つの複合光学レンズ３１でロービーム配光パターンの第１拡散配光パターンと集光配光パターンが形成できるためロービーム配光パターンを形成するための灯具ユニット１を数多く設ける必要がなく、車両用灯具の小型化が行えるようになっている。
【００４７】
一方、本実施形態では、入射面３１Ｂは、全体形状が複合光学レンズ３１の内側に凹む凹面状であって、中央側にロービーム配光パターンの第２配光パターンを形成する光Ｌ３を入射させる複合光学レンズ３１の外側に突出する凸面３１ＢＡを有している。
なお、本実施形態では、第２配光パターンは、ロービーム配光パターンの第１拡散配光パターンより小さいロービーム配光パターンの中拡散配光パターンになっているため、以下では、第２拡散配光パターンと記載する場合がある。
【００４８】
この凸面３１ＢＡは、図４に示すように、外形が略矩形状（正方形状）で、図３に示すように、頂線３１ＣＡ又は頂線３１ＣＡの近傍に前方側焦点が位置するように形成されている。
【００４９】
そして、凸面３１ＢＡの中心と光源２２の発光中心が車両幅方向及び鉛直方向で見て略一致するように光源２２が凸面３１ＢＡの後方側に位置するため、この凸面３１ＢＡから入射する光は大きな屈折を伴わず、緩やかに頂線３１ＣＡに向けて集光され、更に前方側焦点から緩やかに出射面３１Ａに向けて広がり良好な中拡散配光パターンを形成できるようになっている。
なお、より正確には、凸面３１ＢＡは、鉛直方向では、集光するようになっているが、水平方向では、光を広げるように拡散するようになっている。
【００５０】
このように、本実施形態では、集光配光パターンと第１拡散配光パターンに多重される、中程度の拡散配光パターン（中拡散配光パターン）である第２拡散配光パターンも形成されるため、ロービーム配光パターンとしての光度分布をより良好なものとすることができる。
【００５１】
そして、凸面３１ＢＡの外側の入射面３１Ｂが後方側に広がる形状とし、入射面３１Ｂの全体形状が複合光学レンズ３１の内側に凹む凹面状とされていることで、前方側に向けて光を照射する光源２２の光の広がりを考慮して、その光を無駄なく複合光学レンズ３１内に入射させることができる。
なお、入射面３１Ｂの全体形状の複合光学レンズ３１の内側に凹む凹面状の後方焦点は、第１リフレクタ面３１Ｄ及び第２リフレクタ面３１Ｅの後方焦点と略一致しており、それらの後方焦点は、光源２２の発光中心と略一致している。
【００５２】
ところで、ロービーム配光パターンのカットオフラインのところで明暗がくっきりしすぎている場合、視認性が悪くなるため、本実施形態では、図３に示すように、出射面３１Ａを、第１拡散配光パターンを形成する光Ｌ１のうちの一部（本例では下側の一部）が集光配光パターン及び第２拡散配光パターンのカットオフラインの上側に照射される形状に形成するようにしている。
【００５３】
具体的には、レンズ光軸Ｚに対して０．２度から０．５度程度上向きに光が照射されるように出射面３１Ａの下側の曲率を滑らかに調整している。
【００５４】
このため、集光配光パターン及び第２拡散配光パターンのカットオフラインの上側にも光が照射され、カットオフラインの鮮明度が適切に下がるため視認性を向上させることができる。
【００５５】
以上のように、本実施形態によれば、光源２２が前方側に光を照射するように配置され、複合光学レンズ３１が、光の広がりを利用し、上側に広がる光で最も大きいロービーム配光パターンの拡散配光パターン（第１拡散配光パターン）を形成し、下側に広がる光でロービーム配光パターンの集光配光パターンを形成し、中央側の光でロービーム配光パターンの中拡散配光パターン（第２拡散配光パターン）を形成するものとしているので、多数の灯具ユニット１を用いなくても良好なロービーム配光パターンを形成でき、車両用灯具の小型化が可能になっている。
なお、カットオフライン上端近傍にはやや黄色味のある集光配光パターンの分光と第１拡散配光パターンの青味のある分光とが多重され、分光色を緩和できるものになっている。
【００５６】
（第２実施形態）
次に図５から図７を参照しながら本発明に係る第２実施形態の車両用灯具について説明する。
第２実施形態においても灯具ユニット１の全体構成は同じであり、第１実施形態と異なる部分は、複合光学レンズ３１のところだけであるため、以下では、主に異なる点について説明し、同様の点については説明を省略する場合がある。
【００５７】
図５は本実施形態の複合光学レンズ３１の断面図であり、レンズ光軸Ｚに沿って鉛直方向に切断した側面側から見た断面図である。
なお、図５には、模式的に記載した光源２２の発光領域２２Ｂも併せて図示している。
また、図６は本実施形態の出射面３１Ａ側が見えるようにした複合光学レンズ３１の斜視図であり、図７は本実施形態の入射面３１Ｂ側が見えるようにした複合光学レンズ３１の斜視図である。
【００５８】
図５に示すように、本実施形態の複合光学レンズ３１においても、第１実施形態と同様に、複合光学レンズ３１は、光源２２からの光を入射させる入射面３１Ｂと、入射面３１Ｂから入射した光を前方側に照射する出射面３１Ａと、入射面３１Ｂと出射面３１Ａの間に形成されたシェード部３１Ｃと、が一体成形されたレンズになっている。
【００５９】
そして、シェード部３１Ｃも、複合光学レンズ３１の入射面３１Ｂと出射面３１Ａの間の位置の鉛直方向下側から複合光学レンズ３１の内側に略三角形状の窪みを形成するようにして形成されており、その三角形状の窪みの頂点となる位置がカットオフラインの形状に合わせた頂線３１ＣＡとなるようにされている。
【００６０】
また、複合光学レンズ３１は、シェード部３１Ｃの頂線３１ＣＡより入射面３１Ｂ側の上側（鉛直方向上側）に形成され、ロービーム配光パターンの第１拡散配光パターンを形成する光を出射面３１Ａに向けて反射する自由曲面の半ドーム状の第１リフレクタ面３１Ｄと、頂線３１ＣＡより入射面３１Ｂ側の下側（鉛直方向下側）に形成され、ロービーム配光パターンの集光配光パターンを形成する光を出射面３１Ａに向けて反射する自由曲面の半ドーム状の第２リフレクタ面３１Ｅと、を備えており、先ほどと同様に、第１リフレクタ面３１Ｄと第２リフレクタ面３１Ｅの隣接する位置の車両幅方向の幅は、第１リフレクタ面３１Ｄの方が大きいものとなっている。
【００６１】
一方、シェード部３１Ｃが、複合光学レンズ３１の内側に略三角形状の窪みを形成するようにして形成されているため、シェード部３１Ｃは、頂線３１ＣＡから後方側に傾斜する後方側傾斜面３１ＣＢを有するものになっており、第１リフレクタ面３１Ｄで反射された光の一部、第２リフレクタ面３１Ｅで反射された光の一部、及び、光源２２からの直射光の一部が、この後方側傾斜面３１ＣＢで反射されると、その反射光の一部は、頂線３１ＣＡより前方側の上側の面で反射され、出射面３１Ａから前方側に照射される。
【００６２】
そして、このような光は、出射面３１Ａで配光制御する予定ではない光であり、灯室内や車両近傍に照射される有害光となるおそれがある。
【００６３】
そこで、本実施形態では、図５に示すように、複合光学レンズ３１が、シェード部３１Ｃの頂線３１ＣＡよりも出射面３１Ａ側に形成され、出射面３１Ａに向けて出射面３１Ａで配光制御する予定でない反射光を反射する部位に形成された光散乱部３１Ｆを備えるものとしている。
【００６４】
具体的には、光散乱部３１Ｆは、後方側傾斜面３１ＣＢで反射された光が、直接、照射される複合光学レンズ３１の部位に形成されており、これによって、図５に示すように、光が散乱され、その光の多くは光散乱部３１Ｆから出射する光Ｌ４となり、カバー４０（図２参照）によって外部に出ないように遮光される。
【００６５】
一方、光散乱部３１Ｆで散乱する光の一部は、出射面３１Ａから前方側に照射される光Ｌ５となるが、その光Ｌ５は大幅に光量が低下しているため、灯室内や車両近傍に照射されても害をなさないものになっている。
【００６６】
なお、光散乱部３１Ｆは、複合光学レンズ３１の表面に微細な凹凸（例えばプリズム）を形成したものとしているが、光を効率よく散乱できる構造であればこれに限定されるものではない。
また、後方側傾斜面３１ＣＢにも光散乱部を設けるようにしてもよく、そうすることで、より一層、灯室内や車両近傍に照射されるおそれのある光の光量を低下させることができる。
【００６７】
ところで、第１実施形態では、複合光学レンズ３１が、主にロービーム配光パターンを形成する制御を行う場合について説明したが、ロービーム配光パターンだけでなく、オーバーヘッド配光を併せて形成するものとすることもでき、以下、オーバーヘッド配光を形成するための構成について説明する。
【００６８】
先にも説明したように、シェード部３１Ｃが、複合光学レンズ３１の内側に略三角形状の窪みを形成するようにして形成されているため、シェード部３１Ｃは、頂線３１ＣＡから前方側に傾斜する前方側傾斜面３１ＣＣを有している。
【００６９】
この前方側傾斜面３１ＣＣは、光を斜め上側に反射させるのに利用できることから、本実施形態では、複合光学レンズ３１に、光源２２からの直射光の一部を前方側傾斜面３１ＣＣの少なくとも一部に向けて反射する反射面３１Ｇを形成するものとして、反射面３１Ｇで反射され、更に、前方側傾斜面３１ＣＣで反射された光Ｌ６が、オーバーヘッド配光として出射面３１Ａから照射されるようにしている。
【００７０】
具体的には、図５及び図６に示すように、複合光学レンズ３１の第１リフレクタ面３１Ｄと光散乱部３１Ｆの間の位置の上側に、光源２２からの直射光の一部を前方側傾斜面３１ＣＣの少なくとも一部に向けて反射する反射面３１Ｇを形成するようにしている。
【００７１】
なお、本実施形態では、図５及び図７に示すように、反射面３１Ｇで反射された光が照射される前方側傾斜面３１ＣＣの部分に出射面３１Ａ側への反射角度を調節するための反射角度調節部３１ＣＣＡを設けたものとしている。
【００７２】
しかしながら、前方側傾斜面３１ＣＣが反射角度調節部３１ＣＣＡを備えたものとすることは必須の要件ではなく、反射面３１Ｇで反射された光が、オーバーヘッド配光に適した反射角度で出射面３１Ａに向けて反射されるように、前方側傾斜面３１ＣＣ全体の傾斜状態が設定されたものになっていてもよい。
【００７３】
また、第１リフレクタ面３１Ｄ、第２リフレクタ面３１Ｅ、前方側傾斜面３１ＣＣ（反射角度調節部３１ＣＣＡだけでもよい）、及び、反射面３１Ｇは、光を反射する機能が求められるため、光の反射率が高くなるように、白や銀の着色を施すようにしてもよい。
【００７４】
そして、本実施形態によれば、複合光学レンズ３１としたことで発生するおそれがある灯室内や車両近傍に照射される有害光を抑制することができるとともに、ロービーム配光パターンを形成する複合光学レンズ３１でオーバーヘッド配光も形成することができる良好な灯具ユニット１になる。
【００７５】
以上、具体的な実施形態を基に本発明の説明を行ってきたが、本発明は、上記実施形態に限定されるものではなく、上記実施形態に変更や改良を行ったものも発明の技術的範囲に含まれるものである。
【００７６】
例えば、上記では複合光学レンズ３１がロービーム配光パターンを形成する場合について説明したが、シェード部３１Ｃを有しないハイビーム配光パターンを形成する複合光学レンズであってもよく、この場合でも、１つの複合光学レンズでハイビーム配光パターンの拡散配光パターンと集光配光パターンを形成することが可能であることから車両用灯具の小型化が行える。
【００７７】
また、シェード部３１Ｃの表面にアルミ蒸着や着色等を施すことで、シェード機能を高めるようにしてもよい。
このように、本発明は、上記実施形態に限定されるものではなく、そのことは当業者にとって特許請求の範囲の記載から明らかである。
【符号の説明】
【００７８】
１  灯具ユニット
１０  ヒートシンク
１１  ベース部
１１Ａ  位置決めピン
１１Ｂ  ネジ螺合孔
１２  放熱フィン
２０  光源装置
２１  熱伝達部材
２２  光源
２２Ａ  基板
２２Ｂ  発光領域
２３  接続部
２３Ａ  開口部
２３Ｂ  コネクタ接続部
２４Ａ  位置決め孔
２４Ｂ  ネジ孔
３０  光学制御部材
３１  複合光学レンズ
３１Ａ  出射面
３１Ｂ  入射面
３１ＢＡ  凸面
３１Ｃ  シェード部
３１ＣＡ  頂線
３１ＣＢ  後方側傾斜面
３１ＣＣ  前方側傾斜面
３１ＣＣＡ  反射角度調節部
３１Ｄ  第１リフレクタ面
３１Ｅ  第２リフレクタ面
３１Ｆ  光散乱部
３１Ｇ  反射面
３２  固定部
３２Ａ  脚部
３２Ｂ  基部
３２ＢＡ  位置決め孔
３２ＢＢ  ネジ孔
４０  カバー
４１  覆い部
４１Ａ  切欠き部
４２  フランジ部
４２Ａ  位置決め孔
４２Ｂ  ネジ孔
Ｌ１、Ｌ２、Ｌ３、Ｌ４、Ｌ５、Ｌ６  光
Ｎ  ネジ
Ｚ  レンズ光軸
１０１Ｌ、１０１Ｒ  車両用の前照灯
１０２  車両
【図１】
2020035702.tif 000003
【図２】
2020035702.tif 000004
【図３】
2020035702.tif 000005
【図４】
2020035702.tif 000006
【図５】
2020035702.tif 000007
【図６】
2020035702.tif 000008
【図７】
2020035702.tif 000009